(57)【要約】      （修正有）【課題】曇り防止フィルムとレンズをしっかりと結合し、素晴らしい曇り防止性能を具有すると同時に、全体の安定性を保証できる曇り防止レンズの構造を提供する。【解決手段】レンズ３及びレンズの内側面と結合する曇り防止フィルム１を含み、曇り防止フィルムとＰＣフィルム２を、光学接着剤を使って粘着して形成する三層構造であって、三層構造の内側から第一層は三酢酸セルロースの曇り防止フィルムであり、その厚みは０.３〜０.６ｍｍであり、第二層のＰＣフィルムの厚みは０.３〜０.６ｍｍであり、第三層のレンズは金型内で射出固化成型する過程において、高温を利用して粘着前の曇り防止フィルムと結合することで多層の曇り防止レンズを形成する。【選択図】図２
0003220758.tif 000002
【実用新案登録請求の範囲】
【請求項１】
レンズ及び該レンズの内側面と結合する曇り防止フィルムを含み、該曇り防止フィルムは曇り防止フィルムとＰＣフィルムを、光学接着剤を使って粘着して形成する三層構造の曇り防止フィルムであって、
該曇り防止フィルムは三酢酸セルロースであり、該曇り防止フィルムの厚みは０.３〜０.６ｍｍの間であり、該ＰＣフィルムの厚みは０.３〜０.６ｍｍの間であり、金型内で射出成型することにより、ＰＣレンズは固化成型する過程において、高温を利用して曇り防止フィルムと結合して多層の曇り防止レンズを形成することを特徴とする曇り防止レンズの構造。
【考案の詳細な説明】
【技術分野】
【０００１】
本考案は一種の曇り防止レンズの構造に関し、特にレンズを固化成型する過程において、高温を利用して曇り防止の薄いフィルムと結合し、多層の曇り防止レンズを形成する。該曇り防止レンズには素晴らしい曇り防止の性能を具有すると同時に、全体の安定性を保証することもできる曇り防止レンズの構造に関する。
【背景技術】
【０００２】
一般的なレンズの材質はポリカーボネート（ＰＣ）であり、曇り防止の効果を持たない。レンズの密閉スペース及び人体の体温により蒸気が発生することを考慮し、レンズに曇り防止効果を持たせるためには、それ相応の曇り防止措置を取る必要があり、一重の曇り防止フィルムを増やすのが従来のやり方である。
従来の曇り防止レンズの製造は、通常直接粘着する方法で製造を行う。このような粘着をする製造方法では、単に曇り防止フィルムを直接レンズの裏側面に貼り付けるだけであり、粘着が不安定、剥がれるなどの状況が発生しやすい。ＰＣを塑性してできるレンズの表面は滑らかで、それ自体曇り防止フィルム(一般的にＴＡＣ曇り防止フィルム)と粘着しにくい。
例えレンズに相応する凹槽を設置しても、粘着効果を保障しがたい。よって、直接粘着する方法で形成する曇り防止のレンズは全体的に耐用性がないために、更なる改善が必要であった。
【先行技術文献】
【特許文献】
【０００３】
【特許文献１】実開昭５７−７６０３３号公報
【考案の概要】
【考案が解決しようとする課題】
【０００４】
前記公知構造の欠点を解決するため、本考案は曇り防止フィルムとレンズをよりしっかりと結合し、より素晴らしい曇り防止性能を具有すると同時に、全体の安定性を保証できる曇り防止レンズの構造を提供することを主な課題とする。
【課題を解決するための手段】
【０００５】
前記課題を解決するために、本考案は曇り防止レンズの構造を提供するものである。主にレンズ及び該レンズの内側面と結合する曇り防止フィルムを含む。
その特徴とは、該曇り防止フィルムは曇り防止フィルムとＰＣフィルムを、光学接着剤を使って粘着して形成する三層構造の曇り防止フィルムである。該曇り防止フィルムとは三酢酸セルロースであり、該曇り防止フィルムの厚みは０.３〜０.６ｍｍの間であり、該ＰＣフィルムの厚みは０.３〜０.６ｍｍの間である。そして、金型内で射出成型することにより、ＰＣレンズは固化成型する過程において、高温を利用して曇り防止フィルムと結合して多層の曇り防止レンズを形成する。
【０００６】
本考案の曇り防止レンズの素晴らしい点とは、まず曇り防止フィルムとＰＣフィルムを、光学接着剤を使って粘着して曇り防止フィルムを形成し、そして、金型内で射出成型することにより、ＰＣレンズは固化成型する過程において、高温を利用して曇り防止フィルムと結合して多層の曇り防止レンズを形成する。このような曇り防止レンズの層と層はほぼ一体構造となり、剥がれにくくしっかりと安定する。
【考案の効果】
【０００７】
本考案の構造により、曇り防止レンズの層と層はほぼ一体構造となり、剥がれにくくしっかりと安定する。また、曇り防止レンズは素晴らしい曇り防止の性能を具有すると同時に、全体の安定性を保証することもできる
【図面の簡単な説明】
【０００８】
【図１】本考案の第一実施例の全体構造略図である。
【図２】本考案の第一実施例の立体分解図である。
【図３】本考案の第二実施例の全体構造略図である。
【図４】本考案の第二実施例の立体分解図である。
【図５】本考案の第三実施例の全体構造略図である(一)。
【図６】本考案の第三実施例の全体構造略図である(二)。
【考案を実施するための形態】
【０００９】
以下、本考案の構造と特徴および効果を、最良実施例と図面を参照しながら詳細に説明する。
【実施例１】
【００１０】
本考案の実施例は、図１及び図２に示すように、主にヘルメットレンズ３及びヘルメットレンズの内側面と結合する曇り防止フィルム４を含む。該曇り防止フィルム４は曇り防止フィルム１及びポリカーボネート（ＰＣ）フィルム２を、光学接着剤によって粘着して形成する三層構造の曇り防止フィルムである。その中、該曇り防止フィルム１は三酢酸セルロース(ＴＡＣ)である。該曇り防止フィルム１の厚みは０.３〜０.６ｍｍの間であり、該ＰＣフィルム２の厚みは０.３〜０.６ｍｍの間である。よって、一つの曇り防止レンズの構造となる。
【００１１】
本考案の第一実施例は、曇り防止のヘルメットレンズである。図１に示すように、前記ヘルメットレンズ３の両端に設置穴５を設け、該設置穴５の内側は平滑構造であり、前記の曇り防止フィルム４とヘルメットレンズ３の内側面と完全に覆い結合する。
【実施例２】
【００１２】
本考案の第二実施例は、図３及び図４に示す通りである。本実施例は第一実施例と基本的に同じであるが、異なる部分は：第二のスタイルとして、前記ヘルメットレンズ３の両端に設置穴５を設け、該設置穴５の内側は突起した調整構造６である。前記曇り防止フィルム４とヘルメットレンズ３の内側面の中間部分は覆い結合する。該ヘルメットレンズ３の両端に突起したほかの構造を設けるために、曇り防止フィルムを全面的に貼合するには影響を及ぼすため、ヘルメットレンズ３の中央部分に貼合するのがベスト選択である。
【実施例３】
【００１３】
本考案の第三実施例であり、図５及び図６に示す通りである。本実施例は第一実施例と基本的に同じであるが、異なる部分は：本実施例にて提供するのは曇り防止スキーレンズである。つまり第一実施例にて記述するヘルメットレンズ３をスキーレンズ７に交換するものである。
【００１４】
本考案の曇り防止レンズの製造方法は下記の通りである：
【００１５】
(１)曇り防止フィルム１とＰＣフィルム２は光学接着剤を使って粘着し、乾燥彎曲定型を行い、レンズ３の内側面と合わせられる曇り防止フィルム４を形成する。
【００１６】
(２)  ステップ(１)にて形成する曇り防止フィルム４を予めレンズの射出成型の金型の中に入れ、レンズの内側面の場所に位置させる。
【００１７】
(３)溶解した状態のＰＣ（ポリカーボネート）素材を金型の中に注入し、固化する前のＰＣ素材は２６０〜２８０℃の高温にあり、その２６０〜２８０℃の高温を利用してＰＣ素材と曇り防止フィルム４を結合させる。固化成型すれば多層構造の曇り防止レンズになる。
その中、説明が必要なのは、前述の２６０〜２８０℃の高温は、具体的にはＰＣ素材はネジが溶解した後、圧力を使って金型内に注入する時に、金型内に流し入れた時の温度である。その他、金型内に射出成型する際、具体的な圧力、時間は特に制限がなく、成型できることを原則とする。ここで特に強調したいのは、ステップ(１)のＰＣフィルム２は無くてはならないものであるのは、それが全体の工芸過程の肝心な一環であるためである。それを曇り防止フィルム１と結合してこそ、曇り防止フィルム４になり、後続の金型内に射出成型に適応することができる。
【００１８】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００１９】
１  曇り防止フィルム
２  ＰＣフィルム
３  ヘルメットレンズ
４  曇り防止フィルム
５  設置穴
６  調整構造
７  スキーレンズ
【図１】
0003220758.tif 000003
【図２】
0003220758.tif 000004
【図３】
0003220758.tif 000005
【図４】
0003220758.tif 000006
【図５】
0003220758.tif 000007
【図６】
0003220758.tif 000008
【手続補正書】
【提出日】平成30年12月19日(2018.12.19)
【手続補正１】
【補正対象書類名】実用新案登録請求の範囲
【補正対象項目名】全文
【補正方法】変更
【補正の内容】
【実用新案登録請求の範囲】
【請求項１】
レンズ及びＰＣレンズの内側面と結合する曇り防止フィルムを含み、該曇り防止フィルムは曇り防止フィルムとＰＣフィルムを、光学接着剤を使って粘着して形成する三層構造の曇り防止フィルムであって、
該曇り防止フィルムの三層構造の内側から第一層は三酢酸セルロースで該曇り防止フィルムの厚みは０.３〜０.６ｍｍの間であり、該曇り防止フィルムの内側から第二層のＰＣフィルムの厚みは０.３〜０.６ｍｍの間であり、金型内で射出成型することによる内側から第三層のＰＣの前記レンズは固化成型する過程において、高温を利用して粘着前の曇り防止フィルムと結合して多層の曇り防止レンズを形成することを特徴とする曇り防止レンズの構造。
【手続補正２】
【補正対象書類名】明細書
【補正対象項目名】０００５
【補正方法】変更
【補正の内容】
【０００５】
前記課題を解決するために、本考案は曇り防止レンズの構造を提供するものである。主にレンズ及び該レンズの内側面と結合する曇り防止フィルムを含む。
その特徴とは、該曇り防止フィルムは曇り防止フィルムとＰＣフィルムを、光学接着剤を使って粘着して形成する三層構造の曇り防止フィルムである。
該曇り防止フィルムの三層構造の内側から第一層は三酢酸セルロースで該曇り防止フィルムの厚みは０.３〜０.６ｍｍの間であり、該曇り防止フィルムの内側から第二層のＰＣフィルムの厚みは０.３〜０.６ｍｍの間である。そして、金型内で射出成型することによる内側から第三層のＰＣの前記レンズは固化成型する過程において、高温を利用して曇り防止フィルムと結合して多層の曇り防止レンズを形成する。
【手続補正書】
【提出日】平成31年1月31日(2019.1.31)
【手続補正１】
【補正対象書類名】実用新案登録請求の範囲
【補正対象項目名】全文
【補正方法】変更
【補正の内容】
【実用新案登録請求の範囲】
【請求項１】
レンズ及び前記レンズの内側面と結合する曇り防止フィルムを含み、該曇り防止フィルムは曇り防止フィルムとＰＣフィルムを、光学接着剤を使って粘着して形成する三層構造の曇り防止フィルムであって、
該曇り防止フィルムの三層構造の内側から第一層は三酢酸セルロースで該曇り防止フィルムの厚みは０.３〜０.６ｍｍの間であり、該曇り防止フィルムの内側から第二層のＰＣフィルムの厚みは０.３〜０.６ｍｍの間であり、金型内で射出成型することによる内側から第三層のＰＣの前記レンズは固化成型する過程において、高温を利用して粘着前の曇り防止フィルムと結合して多層の曇り防止レンズを形成することを特徴とする曇り防止レンズの構造。